【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
不織布等の繊維状物によりシート状に形成した吸排水基材の表面または内部に、天然繊維、合成繊維、あるいは両者を混合して形成した網状体を一体化したことを特徴とする土木用強化シート。
【請求項２】
前記網状体は、天然繊維、合成繊維、あるいは両者を混合して形成した線状物を編み込んで形成したものであることを特徴とする請求項１に記載の土木用強化シート。
【請求項３】
前記網状体は、合成樹脂製網材料によって一体成形したものであることを特徴とする請求項１に記載の土木用強化シート。
【請求項４】
前記網状体の表面に、合成樹脂製繊維材料を接着剤とともに吹き付けることにより、前記吸排水基材を一体成形したものであることを特徴とする請求項１〜請求項３のいずれかに記載の土木用強化シート。
【請求項５】
不織布等の繊維状物によりシート状に形成した吸排水基材と、この吸排水基材の表面または内部に一体化され、合成樹脂製であって、結び目を有するストランド網状体とにより構成したことを特徴とする土木用強化シート。
【請求項６】
不織布等の繊維状物によりシート状に形成した吸排水基材の表面または内部に、天然繊維、合成繊維、あるいは両者を混合して形成した織布を一体化したことを特徴とする土木用強化シート。
【請求項７】
前記織布は、天然繊維、合成繊維、あるいは両者を混合して形成した不撚糸を織り込んで形成したものであることを特徴とする請求項６に記載の土木用強化シート。
【請求項８】
前記吸排水基材を、前記織布の両面に一体化したことを特徴とする請求項６または請求項７に記載の土木用強化シート。
【手続補正２】
【補正対象書類名】明細書
【補正対象項目名】０００３
【補正方法】変更
【補正の内容】
【０００３】
図１に例示した傾斜地保護工法の主な特徴は、（補強シートまたは土木用シート）あるいは金属製補強網を敷設しておいて、この補強網の先端に法面保護枠を設置し、これらの保護枠及び補強網等の間に客土して傾斜地を形成することである。この従来の傾斜地保護工法では、補強網等の内端を岩盤側に固定し、補強網の外端側に保護枠を固定しているため、保護枠の位置が長期間安定的に維持されることになり、傾斜地の保護を確実に行うことができるものと考えられる。
【手続補正３】
【補正対象書類名】明細書
【補正対象項目名】０００４
【補正方法】変更
【補正の内容】
【０００４】
しかしながら、この図１を例とした従来の傾斜地保護工法では、排水に関しては何等の手段も講じていないため、客土した部分、つまり土が安定していない部分に降雨やこれによる流水があったときには、多くの水を含んで非常に軟弱化し、場合によっては崩れることもあり得る。一般的に、保護枠を岩盤側に連結している補強網等は、上側からの水分を下側に流すだけの機能しか有してはおらず、積極的に傾斜地へ排出するものではないからである。
【手続補正４】
【補正対象書類名】明細書
【補正対象項目名】００１３
【補正方法】変更
【補正の内容】
【００１３】
すなわち、本発明に係る土木用強化シート１０は、その吸排水基材１１として製造が容易で吸排水性に富んだ不織布等の繊維状物を採用したものであり、かつこの不織布等の表面あるいは内部に、土砂内での摩擦抵抗を十分発揮することになる天然繊維、合成繊維、あるいは両者を混合して形成した網状体１２ａまたは１２ｂを一体化したものである。この土木用強化シート１０を不織布等の繊維状物そのものだけで構成した場合には、土木用資材としての強度が不足することがあって、図１に示したような補強枠２０を岩盤４０側に固定しておくことが困難となることがあるが、本発明の土木用強化シート１０では、その中の各網状体１２ａあるいは１２ｂがその補強の役目を果たすのである。また、これらの網状体１２ａ及び１２ｂは、不織布等の繊維状物中あるいは表面等に形成したものであるから、不織布等の繊維状物自体の吸排水性や水の浸透性を阻害することはないのである。
【手続補正５】
【補正対象書類名】明細書
【補正対象項目名】００２７
【補正方法】変更
【補正の内容】
【００２７】
勿論、吸排水基材１１を構成している不織布等の繊維状物は、繊維を複雑に絡み合わせて形成したものであるから、土や砂が吸排水基材１１内に侵入することがなく、しかも、吸排水基材１１の浸透作用を阻害することも全くない。それだけでなく、網状体１２ａ・１２ｂが吸収された水の案内道としての役割を果たすため、当該土木用強化シート１０による傾斜地内の排水作用は長時間、場合によっては半永久的に維持されるのである。
【手続補正６】
【補正対象書類名】明細書
【補正対象項目名】００４０
【補正方法】変更
【補正の内容】
【００４０】
織布１５は、天然繊維等からなる糸により文字通り布状に織ったもので、請求項１〜５に係る土木用強化シート１０の網状体１２ａあるいは１２ｂに該当するものである。この織布１５は、当該土木用強化シート１０が自然環境の十分な保全を考慮しなければならない場合には、土中の微生物によって生分解される麻やジュート等の天然繊維を使用して織製され、また災害復旧のような急を要する場所や場合には、合成繊維、あるいはこれに天然繊維を混合したものを使用して織製されるものである。また、この織布１５としては、隙間なく文字通り布状に織ったものであってもよく、繊維間に丁度網目のような隙間が存在している「網状」のものに織ったものとして構成して実施してもよいものである。
【手続補正７】
【補正対象書類名】明細書
【補正対象項目名】００４４
【補正方法】変更
【補正の内容】
【００４４】
以上のように構成した請求項６〜請求項８のいずれかに係る土木用強化シート１０は、上記の請求項１〜５のそれと同様に施工されるのであるが、織布１５が網状体１２ａあるいは１２ｂに代えて使用されるので、これ自体が有する吸排水性が吸排水基材１１のそれと協同して、当該土木用強化シート全体の吸排水機能がより向上するだけでなく、織布１５自体の強靱性が法面等の保護強化を達成することができるのである。
【手続補正８】
【補正対象書類名】明細書
【補正対象項目名】００５５
【補正方法】変更
【補正の内容】
【００５５】
また、請求項６に係る発明においては、
「不織布等の繊維状物によりシート状に形成した吸排水基材１１の表面または内部に、天然繊維、合成繊維、あるいは両者を混合して形成した織布１５を一体化したことを特徴とする土木用強化シート１０」
にその構成上の特徴があり、また、請求項７に係る土木用強化シート１０のように、上記請求項６に記載の土木用強化シート１０について、
「織布１５は、天然繊維、合成繊維、あるいは両者を混合して形成した不撚糸を織り込んで形成したこと」
を特徴とするすれば、織布１５による吸排水性をより一層向上させた土木用強化シート１０を提供することができるのである。
【手続補正９】
【補正対象書類名】明細書
【補正対象項目名】００５６
【補正方法】変更
【補正の内容】
【００５６】
そして、請求項８に係る土木用強化シート１０のように、
「吸排水基材１１を、織布１５の両面に一体化したこと」
を特徴とするものとすれば、上記請求項６または請求項７に記載の土木用強化シート１０と同様な効果を発揮することができ、しかも一枚の織布１５とその両面に位置する二枚の吸排水基材１１・１１とのそれぞれの強靱性が一体化されて非常に強靱なものとすることができるのである。
【手続補正１０】
【補正対象書類名】図面
【補正対象項目名】図３
【補正方法】変更
【補正の内容】
【図３】
2000319885.tif 000001
【手続補正１１】
【補正対象書類名】図面
【補正対象項目名】図５
【補正方法】変更
【補正の内容】
【図５】
2000319885.tif 000002
【手続補正１２】
【補正対象書類名】図面
【補正対象項目名】図８
【補正方法】変更
【補正の内容】
【図８】
2000319885.tif 000003
【手続補正１３】
【補正対象書類名】図面
【補正対象項目名】図９
【補正方法】変更
【補正の内容】
【図９】
2000319885.tif 000004
【手続補正１４】
【補正対象書類名】図面
【補正対象項目名】図１０
【補正方法】変更
【補正の内容】
【図１０】
2000319885.tif 000005